(57)【要約】【課題】  バッテリーベースより双方向に入出力可能な充電装置を提供する。【解決手段】  充電電源１０１、充電電気回路１０２、メインバッテリーベース１０３と少なくとも１セットのサブバッテリーベース１０４、又は少なくとも１セットの外部に充電電気エネルギーを出力するプラグソケットセット１０５とケース、指示装置で構成されるものである。それはメインバッテリー又少なくとも１セットの同一又は異なる電圧のサブバッテリーに充電する機能、及びメインバッテリーがサブバッテリーに緊急充電する機能を備える。制御電気回路１０２は、機電又は固体電子パーツで構成される。その中に含まれた第一充電電気回路を通して、充電電気エネルギーを入力してから、メインバッテリーベース１０３に流し、メインバッテリーベース１０３にカップリングされたメインバッテリーに充電の制御を行なうことが可能である。【選択図】    図１
2005278256.tif 000002
【特許請求の範囲】
【請求項１】
バッテリーベースより双方向に入出力可能な充電装置であって、充電電源、充電電気回路、メインバッテリーベース及び少なくとも１セットのサブバッテリーベース、又は少なくとも１セットの外部に充電電気エネルギーを出力するプラグソケットセット及びケース、指示装置で構成され、
外部電源は充電電気回路を通して、メインバッテリーベースに置かれているメインバッテリーを充電し、
外部電源は充電電気回路を通して、少なくとも１セットのサブバッテリーベースを充電し、又は、少なくとも１セットのプラグソケットセットを通して、少なくとも１セットのサブバッテリーを充電し、
外部電源は充電電気回路を通して、メインバッテリーベースのメインバッテリーを充電し、又、少なくとも１セットのサブバッテリーベース又は、少なくとも１セットのプラグソケットセットを通して、少なくとも１セットのサブバッテリーを充電し、
メインバッテリーベースに置かれているメインバッテリーは充電電気回路を通して、少なくとも１セットのサブバッテリーベースを充電し、又は、少なくとも１セットのプラグソケットセットを通して、少なくとも１セットのサブバッテリーを充電することを特徴とするバッテリーベースより双方向に入出力可能な充電装置。
【請求項２】
充電電源、充電電気回路、メインバッテリーベースと少なくとも１セットのサブバッテリーベース、又は少なくとも１セットの外部に充電電気エネルギーを出力するプラグソケットセットとケースおよび指示装置で構成され、メインバッテリー又は少なくとも１セットの同一又は異なる電圧のサブバッテリーに充電する機能、及びメインバッテリーがサブバッテリーに緊急充電する機能を備え、
充電電源（１０１）は、電力会社の提供する交流電源を直流電源に整流してから給電されたか、あるいは直接直流電源で給電され、
制御電気回路（１０２）は、機電又は固体電子パーツで構成され、その中に含まれた第一充電電気回路を通して、充電電気エネルギーを入力してから、メインバッテリーベース（１０３）に流し、メインバッテリーベース（１０３）にカップリングされたメインバッテリーに充電の制御を行なうことが可能であり、又は、第二充電電気回路を通して、サブバッテリーベース（１０４）に流し、又は、プラグソケットセット（１０５）に流し、サブバッテリーベース（１０４）にカップリングされ、又は、プラグソケットセット（１０５）にカップリングされたサブバッテリーに充電の制御を行なうことが可能であり、
制御電気回路にスイッチ、導電プレート又は固体スイッチパーツで構成された電流分配機能の接続装置を有するので、メインバッテリーベース（１０３）に置かれているメインバッテリーに出力の制御を行なうことで、サブバッテリーベース（１０４）に置かれているサブバッテリー、又はプラグソケットセット（１０５）にカップリングされたサブバッテリーにバッテリー対バッテリーの緊急充電を行なうことが可能となり、
前記サブバッテリーベース（１０４）とプラグソケットセット（１０５）をすべて設けるか、その中の一つの種類を選んで設けることも可能であり、その設ける数は１セットか、１セット以上を設けることも可能であることを特徴とする請求項１記載のバッテリーベースより双方向に入出力可能な充電装置。
【請求項３】
（１）外部充電電源は充電電気回路を通して、メインバッテリーベースに置かれているメインバッテリーに充電し、
（２）外部充電電源は充電電気回路を通して、少なくとも１セットのサブバッテリーベースに充電し、又は、少なくとも１セットのプラグソケットセットを通して、少なくとも１セットのサブバッテリーに充電し、
（３）外部電源は充電電気回路を通して、メインバッテリーベースのメインバッテリーに充電し、少なくとも１セットのサブバッテリーベース又は、少なくとも１セットのプラグソケットセットを通して、少なくとも１セットのサブバッテリーに充電し、
（４）メインバッテリーベースに置かれているメインバッテリーはダイオードを通して、第二充電電気回路に充電し、又、少なくとも１セットのサブバッテリーベースを通して、又は、少なくとも１セットのプラグソケットセットを通して、少なくとも１セットのサブバッテリーに充電し、
このバッテリーベースより双方向に入出力可能な充電装置の機能特徴は前記機能（４）を含むと同時に前記機能（１）、（２）、（３）のいずれか一つ又は一つ以上を含むことを特徴とする請求項１記載のバッテリーベースより双方向に入出力可能な充電装置。
【発明の詳細な説明】
【技術分野】
【０００１】
本発明は、充電装置に関する。
【背景技術】
【０００２】
従来の充電器は通常交流電源を直流電源に整流してから出力する。又は直接直流電源で給電する。例えば、自動車のタバコ点火器から直流電源を出力して、バッテリーベースに置かれているバッテリーに充電する。又、電気エネルギーを蓄積してあるバッテリーをバッテリーベースに置いてから、プラグソケットセットを通して外部に出力することで、充電の緊急充電器として使用する。
【発明の開示】
【発明が解決しようとする課題】
【０００３】
しかしながら、両者はそれぞれ独立の装置である。緊急充電器の電気エネルギーを使ってしまったら、通常それを取り外してから棄てるか交換する。更に、充放電可能なバッテリーを使用する場合は、別に充電器で充電することが必要なので、経済的に合わず、２セットの装置を携帯する必要があり、大きい空間を占めるし、コストがより高くなるのである。
【０００４】
したがって本発明の目的は、バッテリーベースより双方向に入出力可能な充電装置を提供することにある。
【課題を解決するための手段】
【０００５】
上述の目的を達成するために、本発明の請求項に記載のバッテリーベースより双方向に入出力可能な充電装置は、初めて開発されたマルチ機能を有する携帯型充電器である。それはメインバッテリー又少なくとも１セットの同一又は異なる電圧のサブバッテリーに充電する機能、及びメインバッテリーがサブバッテリーに緊急充電する機能を備えるものである。
【発明を実施するための最良の形態】
【０００６】
以下、本発明の実施例を図面に基づいて説明する。
図１は、本発明の実施例による線路正方形の説明図である。このバッテリーベースより双方向に入出力可能な充電装置は充電電源、充電電気回路、メインバッテリーベースと少なくとも１セットのサブバッテリーベース、又は少なくとも１セットの外部に充電電気エネルギーを出力するプラグソケットセットとケース、指示装置で構成されるものである。それはメインバッテリー又少なくとも１セットの同一又は異なる電圧のサブバッテリーに充電する機能、及びメインバッテリーがサブバッテリーに緊急充電する機能を備える。その充電電源１０１は、電力会社の提供する交流電源を直流電源に整流してから給電されるか、直接直流電源で給電されるのである。その構造の特徴は下記のものを含む。
【０００７】
制御電気回路１０２は、機電又は固体電子パーツで構成される。その中に含まれた第一充電電気回路１０７を通して、充電電気エネルギーを入力してから、メインバッテリーベース１０３に流し、メインバッテリーベース１０３にカップリングされたメインバッテリー１１１に充電の制御を行なうことが可能である。又、第二充電電気回路１０９を通して、サブバッテリーベース１０４に流し、あるいは、プラグソケットセット１０５に流し、サブバッテリーベース１０４にカップリングされ、又は、プラグソケットセット１０５にカップリングされたサブバッテリーベース１１２に充電の制御を行なうことが可能である。制御電気回路にはスイッチ、導電プレート又は固体スイッチパーツで構成された電流分配機能の接続装置１０６を有するので、メインバッテリーベース１０３に置かれているメインバッテリー１１１に出力の制御を行なうことで、サブバッテリーベース１０４に置かれているサブバッテリー１１２、又はプラグソケットセット１０５にカップリングされたサブバッテリー１１２にバッテリー対バッテリーの緊急充電を行なうことが可能である。
【０００８】
前述のサブバッテリーベース１０４とプラグソケットセット１０５をすべて設けるか、その中の一つの種類を選んで設けるか選択可能であり、又、その設ける数は１セットか、１セット以上かを選択可能である。
【０００９】
上述のバッテリーベースより双方向に入出力可能な充電装置の備える機能は下記の通りである。
（１）外部充電電源１０１は充電電気回路を通して、メインバッテリーベース１０３に置かれているメインバッテリー１１１を充電する。
（２）外部充電電源１０１は充電電気回路を通して、少なくとも１セットのサブバッテリーベース１０４を充電する。又は、少なくとも１セットのプラグソケットセット１０５を通して、少なくとも１セットのサブバッテリー１１２を充電する。
【００１０】
（３）外部電源は充電電気回路を通して、メインバッテリーベース１０３のメインバッテリー１１１を充電する。又、少なくとも１セットのサブバッテリーベース１０４、又は、少なくとも１セットのプラグソケットセット１０５を通して、少なくとも１セットのサブバッテリー１１２を充電する。図２は、本発明の実施例による電源がメインバッテリーベース及びサブバッテリーベース又はプラグソケットセットに給電する例の説明図である。
【００１１】
（４）メインバッテリーベースに置かれているメインバッテリー１１１はダイオード１０８を通して、第二充電電気回路１０９を充電する。又、少なくとも１セットのサブバッテリーベース１０４を通して、又は、少なくとも１セットのプラグソケットセット１０５を通して、少なくとも１セットのサブバッテリー１１２を充電する。図３は、本発明の実施例によるメインバッテリーベースにバッテリーを入れてから、サブバッテリーベース又はプラグソケットセットに給電する例の説明図である。
このバッテリーベースより双方向に入出力可能な充電装置の機能特徴は上述の機能（４）を含み、及び同時に上述の機能（１）、（２）、（３）のいずれの一つ又は一つ以上を含むものである。
【００１２】
上述によって、このバッテリーベースより双方向に入出力可能な充電装置は、単一のケースにメインバッテリーベースを設けることで、あるいは、同時にサブバッテリーベース又はプラグソケットセットを設けることで構成されるものである。それはメインバッテリー又少なくとも１セットの同一又は異なる電圧のサブバッテリーに充電する機能、及びメインバッテリーがサブバッテリーに緊急充電する機能を備える。このバッテリーベースより双方向に入出力可能な充電装置は、アイディアが新しく、機能が確実な長所があるものである。
【００１３】
本発明の主要な目的は、バッテリーベースより双方向に入出力可能な充電装置を提供するものである。本発明は従来式の携帯型充電システムのような電源入力よりバッテリーに充電出力を行なうシステムに対して、進歩性のあるマルチ機能を備えるシステムとして、その機能を増加するものである。
【００１４】
このバッテリーベースより双方向で入出力可能な充電装置は、充電電源、充電電気回路、メインバッテリーベース及び少なくとも１セットのサブバッテリーベース、又は少なくとも１セットの外部に充電電気エネルギーを出力するプラグソケットセット、及びケース、指示装置で構成されるものである。その機能は下記の通りである。
【００１５】
外部電源は充電電気回路を通して、メインバッテリーベースに置かれているメインバッテリーを充電する。
外部電源は充電電気回路を通して、少なくとも１セットのサブバッテリーベースを充電する。又は、少なくとも１セットのプラグソケットセットを通して、少なくとも１セットのサブバッテリーを充電する。
外部電源は充電電気回路を通して、メインバッテリーベースのメインバッテリーを充電する。又、少なくとも１セットのサブバッテリーベース又は、少なくとも１セットのプラグソケットセットを通して、少なくとも１セットのサブバッテリーを充電する。
メインバッテリーベースに置かれているメインバッテリーは充電電気回路を通して、少なくとも１セットのサブバッテリーベースを充電する。又は、少なくとも１セットのプラグソケットセットを通して、少なくとも１セットのサブバッテリーを充電する。
【図面の簡単な説明】
【００１６】
【図１】本発明の実施例によるバッテリーベースより双方向に入出力可能な充電装置を示す線路正方形の説明図である。
【図２】本発明の実施例による電源がメインバッテリーベース及びサブバッテリーベース又はプラグソケットセットに給電する例の説明図である。
【図３】本発明の実施例によるメインバッテリーベースにバッテリーを入れてから、サブバッテリーベース又はプラグソケットセットに給電する例の説明図である。
【符号の説明】
【００１７】
１０１  充電電源、１０２  制御電気回路、１０３  メインバッテリーベース、１０４  サブバッテリーベース、１０５  プラグソケットセット、１０６  電流分配機能の接続装置、１０７  第一充電電気回路、１０８  ダイオード、１０９  第二充電電気回路、１１１  メインバッテリー、１１２  サブバッテリー
【図１】
2005278256.tif 000003
【図２】
2005278256.tif 000004
【図３】
2005278256.tif 000005